(57)【要約】【課題】階層化された配信情報を総合的に閲覧することのできるシステム等を提供することを課題とする。【解決手段】本発明にかかるシステムは、利用者に配信する配信情報を処理する配信情報処理装置１００と、上記配信情報の利用者の情報端末装置２００とを、ネットワーク３００を介して通信可能に接続して構成される。配信情報処理装置１００は、１つの表示領域を複数の領域に分割する際の分割の仕方に関する複数の分割パターン情報、および、各領域に表示されるコンテンツ情報を格納する格納手段と、複数の分割パターン情報から１つの分割パターン情報を選択するための第１のメニューと、領域に表示するコンテンツ情報を上記コンテンツ情報が表示される各領域とは異なる領域において選択するための第２のメニューとを、情報端末装置に対してまとめて送信するメニュー送信手段を備える。【選択図】        図１
2006065860.tif 000002
【特許請求の範囲】
【請求項１】
利用者に配信する配信情報を処理する配信情報処理装置と、上記配信情報の利用者の情報端末装置とを、ネットワークを介して通信可能に接続して構成された情報配信システムであって、
上記配信情報処理装置は、
１つの表示領域を複数の領域に分割する際の分割の仕方に関する複数の分割パターン情報、および、各領域に表示されるコンテンツ情報を格納する格納手段と、
上記複数の分割パターン情報から１つの分割パターン情報を選択するための第１のメニューと、上記領域に表示する上記コンテンツ情報を上記コンテンツ情報が表示される各領域とは異なる領域において選択するための第２のメニューとを、上記情報端末装置に対してまとめて送信するメニュー送信手段と、
を備え、
上記情報端末装置は、
受信した上記第１のメニューから１つの上記分割パターンを選択する分割パターン選択手段と、
受信した上記第２のメニューから１つの上記コンテンツ情報を選択するコンテンツ情報選択手段と、
を備えたことを特徴とする情報配信システム。
【請求項２】
利用者に配信する配信情報を処理する配信情報処理装置と、上記配信情報の利用者の情報端末装置とを、ネットワークを介して通信可能に接続して構成された情報配信システムであって、
上記配信情報処理装置は、
１つの表示領域を複数の領域に分割する際の分割の仕方に関する複数の分割パターン情報、および、各領域に表示されるコンテンツ情報を格納する格納手段と、
上記複数の分割パターン情報から１つの分割パターン情報を選択するための第１のメニューを上記情報端末装置に対して送信する第１メニュー送信手段と、
上記複数の領域に表示する上記コンテンツ情報を選択するための第２のメニューを上記情報端末装置に対して送信する第２メニュー送信手段と、
上記領域に表示されたコンテンツ情報と関連のあるコンテンツ情報をスクロール出力するためのスクロール情報を、上記情報端末装置に送信するスクロール情報送信手段とを備え、
上記情報端末装置は、
受信した上記第１のメニューから１つの上記分割パターンを選択する分割パターン選択手段と、
受信した上記第２のメニューから１つの上記コンテンツ情報を選択するコンテンツ情報選択手段と、
を備えたことを特徴とする情報配信システム。
【請求項３】
上記配信情報処理装置は、
上記領域に表示させたコンテンツ情報のうちのリアルタイムで更新されたコンテンツ情報を、上記スクロール情報を表示する領域用のコンテンツ情報として、上記情報端末装置に送信すること、
を特徴とする請求項２に記載の情報配信システム。
【請求項４】
上記格納手段には、上記コンテンツ情報として、随時に更新される随時更新データと、更新頻度や更新の必要性が低い非随時更新データとを格納し、
上記第２のメニューとして、上記非随時更新データを送信すること、
を特徴とする請求項１から３のいずれか一項に記載の情報配信システム。
【請求項５】
上記随時更新データは、株価データであり、
上記非随時更新データは、証券コードや会社名であること、
を特徴とする請求項４に記載の情報配信システム。
【請求項６】
利用者に配信する配信情報を処理する配信情報処理装置と、上記配信情報の利用者の情報端末装置とを、ネットワークを介して通信可能に接続して構成された情報配信システムであって、
上記配信情報処理装置は、
１つの表示領域を複数の領域に分割する際の分割の仕方に関する複数の分割パターン情報、および、各領域に表示されるコンテンツ情報を格納する格納手段と、
上記コンテンツ情報に対応するページレイアウト情報をテンプレートとして格納する手段と、
利用者がコンテンツ情報を選択した際に、このコンテンツ情報に対応するページレイアウト情報を、上記ページレイアウト情報を格納する手段から取得して上記情報端末装置に送信する送信手段と、
を備え、
上記情報端末装置は、
コンテンツ情報を選択する選択手段、
を備えたことを特徴とする情報配信システム。
【請求項７】
上記配信情報処理装置は、
所定銘柄の株価が所定条件に該当する場合に、予め定めたテンプレート情報を、上記ページレイアウト情報を格納する手段から取得して上記情報端末装置に送信すること、
を特徴とする請求項６に記載の情報配信システム。
【請求項８】
情報配信を受ける上記配信情報の利用者の情報端末装置に対して、ネットワークを介して通信可能に接続して構成された配信情報処理装置であって、
１つの表示領域を複数の領域に分割する際の分割の仕方に関する複数の分割パターン情報、および、各領域に表示されるコンテンツ情報を格納する格納手段と、
上記複数の分割パターン情報から１つの分割パターン情報を選択するための第１のメニューと、上記領域に表示する上記コンテンツ情報を上記コンテンツ情報が表示される各領域とは異なる領域において選択するための第２のメニューとを、上記情報端末装置に対してまとめて送信するメニュー送信手段と、
を備えたことを特徴とする配信情報処理装置。
【請求項９】
情報配信を受ける上記配信情報の利用者の情報端末装置に対して、ネットワークを介して通信可能に接続して構成された配信情報処理装置であって、
１つの表示領域を複数の領域に分割する際の分割の仕方に関する複数の分割パターン情報、および、各領域に表示されるコンテンツ情報を格納する格納手段と、
上記複数の分割パターン情報から１つの分割パターン情報を選択するための第１のメニューを上記情報端末装置に対して送信する第１メニュー送信手段と、
上記複数の領域に表示する上記コンテンツ情報を選択するための第２のメニューを上記情報端末装置に対して送信する第２メニュー送信手段と、
上記領域に表示されたコンテンツ情報と関連のあるコンテンツ情報をスクロール出力するためのスクロール情報を、上記情報端末装置に送信するスクロール情報送信手段と、
を備えたことを特徴とする配信情報処理装置。
【請求項１０】
上記領域に表示させたコンテンツ情報のうちのリアルタイムで更新されたコンテンツ情報を、上記スクロール情報を表示する領域用のコンテンツ情報として、上記情報端末装置に送信すること、
を特徴とする請求項９に記載の配信情報処理装置。
【請求項１１】
上記格納手段には、上記コンテンツ情報として、随時に更新される随時更新データと、更新頻度や更新の必要性が低い非随時更新データとを格納し、
上記第２のメニューとして、上記非随時更新データを送信すること、
を特徴とする請求項８から１０のいずれか一項に記載の配信情報処理装置。
【請求項１２】
上記随時更新データは、株価データであり、
上記非随時更新データは、証券コードや会社名であること、
を特徴とする請求項１１に記載の配信情報処理装置。
【請求項１３】
情報配信を受ける上記配信情報の利用者の情報端末装置に対して、ネットワークを介して通信可能に接続して構成された配信情報処理装置であって、
１つの表示領域を複数の領域に分割する際の分割の仕方に関する複数の分割パターン情報、および、各領域に表示されるコンテンツ情報を格納する格納手段と、
上記コンテンツ情報に対応するページレイアウト情報をテンプレートとして格納する手段と、
利用者がコンテンツ情報を選択した際に、このコンテンツ情報に対応するページレイアウト情報を、上記ページレイアウト情報を格納する手段から取得して上記情報端末装置に送信する送信手段と、
を備えたことを特徴とする配信情報処理装置。
【請求項１４】
所定銘柄の株価が所定条件に該当する場合に、予め定めたテンプレート情報を、上記ページレイアウト情報を格納する手段から取得して上記情報端末装置に送信すること、
を特徴とする請求項１３に記載の配信情報処理装置。
【請求項１５】
情報配信を受ける上記配信情報の利用者の情報端末装置に対して、ネットワークを介して通信可能に接続して構成された配信情報処理装置を用いて行われる情報配信方法であって、
上記配信情報処理装置に、１つの表示領域を複数の領域に分割する際の分割の仕方に関する複数の分割パターン情報、および、各領域に表示されるコンテンツ情報を格納する格納手順と、
上記配信情報処理装置が、上記複数の分割パターン情報から１つの分割パターン情報を選択するための第１のメニューと、上記領域に表示する上記コンテンツ情報を上記コンテンツ情報が表示される各領域とは異なる領域において選択するための第２のメニューとを、上記情報端末装置に対してまとめて送信するメニュー送信手順と、
上記情報端末装置が、受信した上記第１のメニューから１つの上記分割パターンを選択する分割パターン選択手順と、
上記情報端末装置が、受信した上記第２のメニューから１つの上記コンテンツ情報を選択するコンテンツ情報選択手順と、
を含んだことを特徴とする情報配信方法。
【請求項１６】
情報配信を受ける上記配信情報の利用者の情報端末装置に対して、ネットワークを介して通信可能に接続して構成された配信情報処理装置を用いて行われる情報配信方法であって、
上記配信情報処理装置に、１つの表示領域を複数の領域に分割する際の分割の仕方に関する複数の分割パターン情報、および、各領域に表示されるコンテンツ情報を格納する格納手順と、
上記配信情報処理装置が、上記複数の分割パターン情報から１つの分割パターン情報を選択するための第１のメニューを上記情報端末装置に対して送信する第１メニュー送信手順と、
上記配信情報処理装置が、上記複数の領域に表示する上記コンテンツ情報を選択するための第２のメニューを上記情報端末装置に対して送信する第２メニュー送信手順と、
上記配信情報処理装置が、上記領域に表示されたコンテンツ情報と関連のあるコンテンツ情報をスクロール出力するためのスクロール情報を、上記情報端末装置に送信するスクロール情報送信手順と、
上記情報端末装置が、受信した上記第１のメニューから１つの上記分割パターンを選択する分割パターン選択手順と、
上記情報端末装置が、受信した上記第２のメニューから１つの上記コンテンツ情報を選択するコンテンツ情報選択手順と、
を含んだことを特徴とする情報配信方法。
【請求項１７】
上記配信情報処理装置が、上記領域に表示させたコンテンツ情報のうちのリアルタイムで更新されたコンテンツ情報を、上記スクロール情報を表示する領域用のコンテンツ情報として、上記情報端末装置に送信すること、
を特徴とする請求項１６に記載の情報配信方法。
【請求項１８】
上記格納手順において、上記配信情報処理装置に、上記コンテンツ情報として、随時に更新される随時更新データと、更新頻度や更新の必要性が低い非随時更新データとを格納し、
上記配信情報処理装置が、上記第２のメニューとして、上記非随時更新データを送信すること、
を特徴とする請求項１５から１７のいずれか一項に記載の情報配信方法。
【請求項１９】
上記随時更新データは、株価データであり、
上記非随時更新データは、証券コードや会社名であること、
を特徴とする請求項１８に記載の情報配信方法。
【請求項２０】
情報配信を受ける上記配信情報の利用者の情報端末装置に対して、ネットワークを介して通信可能に接続して構成された配信情報処理装置を用いて行われる情報配信方法であって、
上記配信情報処理装置に、１つの表示領域を複数の領域に分割する際の分割の仕方に関する複数の分割パターン情報、および、各領域に表示されるコンテンツ情報を格納する格納手順と、
上記配信情報処理装置が、上記コンテンツ情報に対応するページレイアウト情報をテンプレートとして格納する手順と、
上記配信情報処理装置が、利用者がコンテンツ情報を選択した際に、このコンテンツ情報に対応するページレイアウト情報を、上記格納されたページレイアウト情報から取得して上記情報端末装置に送信する送信手順と、
上記情報端末装置が、コンテンツ情報を選択する選択手順と、
を含んだことを特徴とする情報配信方法。
【請求項２１】
上記配信情報処理装置が、所定銘柄の株価が所定条件に該当する場合に、予め定めたテンプレート情報を、上記格納されたページレイアウト情報から取得して上記情報端末装置に送信すること、
を特徴とする請求項２０に記載の情報配信方法。
【請求項２２】
上記請求項１５から２１のいずれか一項に記載された情報配信方法をコンピュータに実行させるためのプログラム。
【発明の詳細な説明】
【技術分野】
【０００１】
本発明は、利用者が表示領域を所望の領域に分割することができる情報配信システム、配信情報処理装置、情報端末装置、情報配信方法、および、プログラムに関する。
【背景技術】
【０００２】
従来より、ＷＷＷサーバが提供するウェブサイトの配信情報を閲覧するための各種のブラウザソフトウェアが存在する。
【発明の開示】
【発明が解決しようとする課題】
【０００３】
しかしながら、例えば、株価情報やニュース情報等のような、リアルタイムで更新されるウェブ情報等の配信情報を、従来のブラウザソフトウェアを用いて閲覧する場合には、１画面上でこれらの複数のウェブ情報を総合的に表示し、利用者が効率的に操作することができないというシステム構造上の基本的問題点を有していた。以下、この問題点の内容について、一層具体的に説明する。
【０００４】
まず、従来のブラウザソフトウェアを用いて株価情報等の階層化された配信情報を総合的に閲覧する場合には、情報毎に新しいブラウザソフトウェアを起動してモニタに表示させる必要がある。また、起動された複数のブラウザソフトウェアの表示サイズや表示位置の調整は、利用者が各ブラウザソフトウェア毎に個別に行う必要があるため、利用者が複数の情報を表示させる操作が煩雑となる。
【０００５】
また、ウェブサイト側で予め複数の情報を１画面上で表示可能なフレーム構成のウェブページを作成して、利用者に配信する方法もあるが、フレーム構成や操作等は、ウェブサイト側でウェブページの作成時に既存のＨＴＭＬ技術等を用いて作りこむことになるため、利用者が所望のコンテンツを任意のフレーム構成で表示させることが困難である。
【０００６】
特に、株価情報やニュース情報等のコンテンツは、階層構造（各コンテンツについて上位のメニューから下位のメニューに対して相互にハイパーリンク等が設定されている構造）を有しているため、効率的にこれらのコンテンツを操作するためには、複数の情報を一画面上に表示させる必要性が高い。
【０００７】
このように、従来のシステム等は数々の問題点を有しており、その結果、ウェブ情報の利用者および管理者のいずれにとっても、利便性が悪く、また、操作効率が悪いものであった。
なお、これまで説明した従来の技術および発明が解決しようとする課題は、株価やニュースに関する配信情報に関するシステムに限られず、階層化された配信情報を管理する全てのシステムにおいて、同様に考えることができる。
本発明は上記問題点に鑑みてなされたもので、階層化された配信情報を総合的に閲覧することのできる、情報配信システム、配信情報処理装置、情報端末装置、情報配信方法、および、プログラムを提供することを目的としている。
【課題を解決するための手段】
【０００８】
このような目的を達成するため、請求項１に記載の情報配信システムは、利用者に配信する配信情報を処理する配信情報処理装置と、上記配信情報の利用者の情報端末装置とを、ネットワークを介して通信可能に接続して構成された情報配信システムであって、上記配信情報処理装置は、１つの表示領域を複数の領域に分割する際の分割の仕方に関する複数の分割パターン情報、および、各領域に表示されるコンテンツ情報を格納する格納手段と、上記複数の分割パターン情報から１つの分割パターン情報を選択するための第１のメニューと、上記領域に表示する上記コンテンツ情報を上記コンテンツ情報が表示される各領域とは異なる領域において選択するための第２のメニューとを、上記情報端末装置に対してまとめて送信するメニュー送信手段と、を備え、上記情報端末装置は、受信した上記第１のメニューから１つの上記分割パターンを選択する分割パターン選択手段と、受信した上記第２のメニューから１つの上記コンテンツ情報を選択するコンテンツ情報選択手段と、を備えたことを特徴とする。
【０００９】
また、請求項２に記載の情報配信システムは、利用者に配信する配信情報を処理する配信情報処理装置と、上記配信情報の利用者の情報端末装置とを、ネットワークを介して通信可能に接続して構成された情報配信システムであって、上記配信情報処理装置は、１つの表示領域を複数の領域に分割する際の分割の仕方に関する複数の分割パターン情報、および、各領域に表示されるコンテンツ情報を格納する格納手段と、上記複数の分割パターン情報から１つの分割パターン情報を選択するための第１のメニューを上記情報端末装置に対して送信する第１メニュー送信手段と、上記複数の領域に表示する上記コンテンツ情報を選択するための第２のメニューを上記情報端末装置に対して送信する第２メニュー送信手段と、上記領域に表示されたコンテンツ情報と関連のあるコンテンツ情報をスクロール出力するためのスクロール情報を、上記情報端末装置に送信するスクロール情報送信手段とを備え、上記情報端末装置は、受信した上記第１のメニューから１つの上記分割パターンを選択する分割パターン選択手段と、受信した上記第２のメニューから１つの上記コンテンツ情報を選択するコンテンツ情報選択手段と、を備えたことを特徴とする。
【００１０】
また、請求項３に記載の情報配信システムは、請求項２に記載の情報配信システムにおいて、上記配信情報処理装置は、上記領域に表示させたコンテンツ情報のうちのリアルタイムで更新されたコンテンツ情報を、上記スクロール情報を表示する領域用のコンテンツ情報として、上記情報端末装置に送信すること、を特徴とする。
【００１１】
また、請求項４に記載の情報配信システムは、請求項１から３のいずれか一項に記載の情報配信システムにおいて、上記格納手段には、上記コンテンツ情報として、随時に更新される随時更新データと、更新頻度や更新の必要性が低い非随時更新データとを格納し、上記第２のメニューとして、上記非随時更新データを送信すること、を特徴とする。
【００１２】
また、請求項５に記載の情報配信システムは、請求項４に記載の情報配信システムにおいて、上記随時更新データは、株価データであり、上記非随時更新データは、証券コードや会社名であること、を特徴とする。
【００１３】
また、請求項６に記載の情報配信システムは、利用者に配信する配信情報を処理する配信情報処理装置と、上記配信情報の利用者の情報端末装置とを、ネットワークを介して通信可能に接続して構成された情報配信システムであって、上記配信情報処理装置は、１つの表示領域を複数の領域に分割する際の分割の仕方に関する複数の分割パターン情報、および、各領域に表示されるコンテンツ情報を格納する格納手段と、上記コンテンツ情報に対応するページレイアウト情報をテンプレートとして格納する手段と、利用者がコンテンツ情報を選択した際に、このコンテンツ情報に対応するページレイアウト情報を、上記ページレイアウト情報を格納する手段から取得して上記情報端末装置に送信する送信手段と、を備え、上記情報端末装置は、コンテンツ情報を選択する選択手段、を備えたことを特徴とする。
【００１４】
また、請求項７に記載の情報配信システムは、請求項６に記載の情報配信システムにおいて、上記配信情報処理装置は、所定銘柄の株価が所定条件に該当する場合に、予め定めたテンプレート情報を、上記ページレイアウト情報を格納する手段から取得して上記情報端末装置に送信すること、を特徴とする。
【００１５】
また、請求項８に記載の配信情報処理装置は、情報配信を受ける上記配信情報の利用者の情報端末装置に対して、ネットワークを介して通信可能に接続して構成された配信情報処理装置であって、１つの表示領域を複数の領域に分割する際の分割の仕方に関する複数の分割パターン情報、および、各領域に表示されるコンテンツ情報を格納する格納手段と、上記複数の分割パターン情報から１つの分割パターン情報を選択するための第１のメニューと、上記領域に表示する上記コンテンツ情報を上記コンテンツ情報が表示される各領域とは異なる領域において選択するための第２のメニューとを、上記情報端末装置に対してまとめて送信するメニュー送信手段と、を備えたことを特徴とする。
【００１６】
また、請求項９に記載の配信情報処理装置は、情報配信を受ける上記配信情報の利用者の情報端末装置に対して、ネットワークを介して通信可能に接続して構成された配信情報処理装置であって、１つの表示領域を複数の領域に分割する際の分割の仕方に関する複数の分割パターン情報、および、各領域に表示されるコンテンツ情報を格納する格納手段と、上記複数の分割パターン情報から１つの分割パターン情報を選択するための第１のメニューを上記情報端末装置に対して送信する第１メニュー送信手段と、上記複数の領域に表示する上記コンテンツ情報を選択するための第２のメニューを上記情報端末装置に対して送信する第２メニュー送信手段と、上記領域に表示されたコンテンツ情報と関連のあるコンテンツ情報をスクロール出力するためのスクロール情報を、上記情報端末装置に送信するスクロール情報送信手段と、を備えたことを特徴とする。
【００１７】
また、請求項１０に記載の配信情報処理装置は、請求項９に記載の配信情報処理装置において、上記領域に表示させたコンテンツ情報のうちのリアルタイムで更新されたコンテンツ情報を、上記スクロール情報を表示する領域用のコンテンツ情報として、上記情報端末装置に送信すること、を特徴とする。
【００１８】
また、請求項１１に記載の配信情報処理装置は、請求項８から１０のいずれか一項に記載の配信情報処理装置において、上記格納手段には、上記コンテンツ情報として、随時に更新される随時更新データと、更新頻度や更新の必要性が低い非随時更新データとを格納し、上記第２のメニューとして、上記非随時更新データを送信すること、を特徴とする。
【００１９】
また、請求項１２に記載の配信情報処理装置は、請求項１１に記載の配信情報処理装置において、上記随時更新データは、株価データであり、上記非随時更新データは、証券コードや会社名であること、を特徴とする。
【００２０】
また、請求項１３に記載の配信情報処理装置は、情報配信を受ける上記配信情報の利用者の情報端末装置に対して、ネットワークを介して通信可能に接続して構成された配信情報処理装置であって、１つの表示領域を複数の領域に分割する際の分割の仕方に関する複数の分割パターン情報、および、各領域に表示されるコンテンツ情報を格納する格納手段と、上記コンテンツ情報に対応するページレイアウト情報をテンプレートとして格納する手段と、利用者がコンテンツ情報を選択した際に、このコンテンツ情報に対応するページレイアウト情報を、上記ページレイアウト情報を格納する手段から取得して上記情報端末装置に送信する送信手段と、を備えたことを特徴とする。
【００２１】
また、請求項１４に記載の配信情報処理装置は、請求項１３に記載の配信情報処理装置において、所定銘柄の株価が所定条件に該当する場合に、予め定めたテンプレート情報を、上記ページレイアウト情報を格納する手段から取得して上記情報端末装置に送信すること、を特徴とする。
【００２２】
また、請求項１５に記載の情報配信方法は、情報配信を受ける上記配信情報の利用者の情報端末装置に対して、ネットワークを介して通信可能に接続して構成された配信情報処理装置を用いて行われる情報配信方法であって、上記配信情報処理装置に、１つの表示領域を複数の領域に分割する際の分割の仕方に関する複数の分割パターン情報、および、各領域に表示されるコンテンツ情報を格納する格納手順と、上記配信情報処理装置が、上記複数の分割パターン情報から１つの分割パターン情報を選択するための第１のメニューと、上記領域に表示する上記コンテンツ情報を上記コンテンツ情報が表示される各領域とは異なる領域において選択するための第２のメニューとを、上記情報端末装置に対してまとめて送信するメニュー送信手順と、上記情報端末装置が、受信した上記第１のメニューから１つの上記分割パターンを選択する分割パターン選択手順と、上記情報端末装置が、受信した上記第２のメニューから１つの上記コンテンツ情報を選択するコンテンツ情報選択手順と、を含んだことを特徴とする。
【００２３】
また、請求項１６に記載の情報配信方法は、情報配信を受ける上記配信情報の利用者の情報端末装置に対して、ネットワークを介して通信可能に接続して構成された配信情報処理装置を用いて行われる情報配信方法であって、上記配信情報処理装置に、１つの表示領域を複数の領域に分割する際の分割の仕方に関する複数の分割パターン情報、および、各領域に表示されるコンテンツ情報を格納する格納手順と、上記配信情報処理装置が、上記複数の分割パターン情報から１つの分割パターン情報を選択するための第１のメニューを上記情報端末装置に対して送信する第１メニュー送信手順と、上記配信情報処理装置が、上記複数の領域に表示する上記コンテンツ情報を選択するための第２のメニューを上記情報端末装置に対して送信する第２メニュー送信手順と、上記配信情報処理装置が、上記領域に表示されたコンテンツ情報と関連のあるコンテンツ情報をスクロール出力するためのスクロール情報を、上記情報端末装置に送信するスクロール情報送信手順と、上記情報端末装置が、受信した上記第１のメニューから１つの上記分割パターンを選択する分割パターン選択手順と、上記情報端末装置が、受信した上記第２のメニューから１つの上記コンテンツ情報を選択するコンテンツ情報選択手順と、を含んだことを特徴とする。
【００２４】
また、請求項１７に記載の情報配信方法は、請求項１６に記載の情報配信方法において、上記配信情報処理装置が、上記領域に表示させたコンテンツ情報のうちのリアルタイムで更新されたコンテンツ情報を、上記スクロール情報を表示する領域用のコンテンツ情報として、上記情報端末装置に送信すること、を特徴とする。
【００２５】
また、請求項１８に記載の情報配信方法は、請求項１５から１７のいずれか一項に記載の情報配信方法において、上記格納手順において、上記配信情報処理装置に、上記コンテンツ情報として、随時に更新される随時更新データと、更新頻度や更新の必要性が低い非随時更新データとを格納し、上記配信情報処理装置が、上記第２のメニューとして、上記非随時更新データを送信すること、を特徴とする。
【００２６】
また、請求項１９に記載の情報配信方法は、請求項１８に記載の情報配信方法において、上記随時更新データは、株価データであり、上記非随時更新データは、証券コードや会社名であること、を特徴とする。
【００２７】
また、請求項２０に記載の情報配信方法は、情報配信を受ける上記配信情報の利用者の情報端末装置に対して、ネットワークを介して通信可能に接続して構成された配信情報処理装置を用いて行われる情報配信方法であって、上記配信情報処理装置に、１つの表示領域を複数の領域に分割する際の分割の仕方に関する複数の分割パターン情報、および、各領域に表示されるコンテンツ情報を格納する格納手順と、上記配信情報処理装置が、上記コンテンツ情報に対応するページレイアウト情報をテンプレートとして格納する手順と、上記配信情報処理装置が、利用者がコンテンツ情報を選択した際に、このコンテンツ情報に対応するページレイアウト情報を、上記格納されたページレイアウト情報から取得して上記情報端末装置に送信する送信手順と、上記情報端末装置が、コンテンツ情報を選択する選択手順と、を含んだことを特徴とする。
【００２８】
また、請求項２１に記載の情報配信方法は、請求項２０に記載の情報配信方法において、上記配信情報処理装置が、所定銘柄の株価が所定条件に該当する場合に、予め定めたテンプレート情報を、上記格納されたページレイアウト情報から取得して上記情報端末装置に送信すること、を特徴とする。
【００２９】
また、請求項２２に記載のプログラムは、請求項１５から２１のいずれか一項に記載された情報配信方法をコンピュータに実行させるためのプログラムであることを特徴とする。
【発明の効果】
【００３０】
このシステムによれば、配信情報処理装置は、１つの表示領域を複数の領域に分割する際の分割の仕方に関する複数の分割パターン情報、および、各領域に表示されるコンテンツ情報を格納し、複数の分割パターン情報から１つの分割パターン情報を選択するための第１のメニューを情報端末装置に対して送信し、情報端末装置において選択された分割パターン情報に従って、領域に表示するコンテンツ情報を選択するための第２のメニューを生成して、情報端末装置に対して送信し、また、情報端末装置は、受信した第１のメニューから１つの分割パターンを選択し、受信した第２のメニューから１つのコンテンツ情報を選択するので、１画面上で複数の配信情報を総合的に表示することができ、利用者がこれらの配信情報を効率的に操作することができる。
なお、配信情報処理装置は、第１のメニューと第２のメニューとをまとめて情報端末装置に送信し、情報端末装置において、受信した第１のメニューおよび第２のメニューに基づいてモニタに表示される第２のメニュー等の表示内容をＪＡＶＡ（登録商標）等のプログラムにより適宜生成することにより、配信情報処理装置と情報端末装置との間のトラヒック量を軽減し、処理の迅速化を図ることができる。
【００３１】
この装置によれば、１つの表示領域を複数の領域に分割する際の分割の仕方に関する複数の分割パターン情報、および、各領域に表示されるコンテンツ情報を格納し、複数の分割パターン情報から１つの分割パターン情報を選択するための第１のメニューを情報端末装置に対して送信し、情報端末装置において選択された分割パターン情報に従って、領域に表示するコンテンツ情報を選択するための第２のメニューを生成して、情報端末装置に対して送信するので、１画面上で複数の配信情報を総合的に表示することができ、利用者がこれらの配信情報を効率的に操作することができる。
【００３２】
この装置によれば、コンテンツ情報を領域内でスクロールして出力するためのスクロール情報を情報端末装置に送信するので、所望のコンテンツ情報についてスクロール表示をすることができる。
【００３３】
この装置によれば、スクロール情報は、コンテンツ情報のスクロールの速度に関するスクロール速度情報を含むので、スクロールの速度について適宜調整することが可能になる。
【００３４】
この装置によれば、コンテンツ情報は、階層構造のデータ構造を備え、階層構造の順序に従って所望のコンテンツ情報を選択するための第２のメニューを生成するので、ニュース情報や株価情報等の階層化されたコンテンツ情報を効率的に選択し、表示できるようになる。
【００３５】
この装置によれば、格納されたコンテンツ情報が更新された場合には、更新されたコンテンツ情報を情報端末装置に対して配信するので、リアルタイムに更新情報を配信することができる。
【００３６】
この装置によれば、コンテンツ情報は、株価に関する情報、および、ニュースに関する情報のうちの少なくとも一つであるので、株価およびニュースに関するコンテンツ情報を効率的に表示できるようになる。
【００３７】
この装置によれば、利用者が選択した分割パターン情報、および、各領域に表示されるコンテンツ情報を格納し、所定の条件に該当する場合には、格納された情報を利用者の情報端末装置に対して送信するので、例えば、所定の時間等に予め登録した画面表示でコンテンツを表示することができる。
【００３８】
この方法によれば、１つの表示領域を複数の領域に分割する際の分割の仕方に関する複数の分割パターン情報、および、各領域に表示されるコンテンツ情報を格納し、複数の分割パターン情報から１つの分割パターン情報を選択するための第１のメニューを情報端末装置に対して送信し、情報端末装置において選択された分割パターン情報に従って、領域に表示するコンテンツ情報を選択するための第２のメニューを生成して、情報端末装置に対して送信するので、１画面上で複数の配信情報を総合的に表示することができ、利用者がこれらの配信情報を効率的に操作することができる。
【００３９】
この方法によれば、スクロール情報は、コンテンツ情報のスクロールの速度に関するスクロール速度情報を含むので、スクロールの速度について適宜調整することが可能になる。
【００４０】
この方法によれば、コンテンツ情報は、階層構造のデータ構造を備え、階層構造の順序に従って所望のコンテンツ情報を選択するための第２のメニューを生成するので、ニュース情報や株価情報等の階層化されたコンテンツ情報を効率的に選択し、表示できるようになる。
【００４１】
この方法によれば、格納されたコンテンツ情報が更新された場合には、更新されたコンテンツ情報を情報端末装置に対して配信するので、リアルタイムに更新情報を配信することができる。
【００４２】
この方法によれば、コンテンツ情報は、株価に関する情報、および、ニュースに関する情報のうちの少なくとも一つであるので、株価およびニュースに関するコンテンツ情報を効率的に表示できるようになる。
【００４３】
この方法によれば、利用者が選択した分割パターン情報、および、各領域に表示されるコンテンツ情報を格納し、所定の条件に該当する場合には、格納された情報を利用者の情報端末装置に対して送信するので、例えば、所定の時間等に予め登録した画面表示でコンテンツを表示することができる。
【００４４】
このプログラムによれば、当該プログラムをコンピュータに読み取らせて実行することによって、情報配信方法をコンピュータを利用して実現することができ、これら各方法と同様の効果を得ることができる。
【発明を実施するための最良の形態】
【００４５】
以下に、本発明にかかる情報配信システム、配信情報処理装置、情報端末装置、情報配信方法、および、プログラムの実施の形態を図面に基づいて詳細に説明する。なお、この実施の形態によりこの発明が限定されるものではない。
特に、以下の実施の形態においては、本発明を、株価やニュースに関するウェブ情報に関する情報配信システムに適用した例について説明するが、この場合に限られず、階層化された配信情報を管理する全てのシステムにおいて、同様に適用することできる。
【００４６】
（本システムの概要）
以下、本システムの概要について説明し、その後、本システムの構成および処理等について詳細に説明する。図１は本システムの全体構成の一例を示すブロック図であり、該システム構成のうち本発明に関係する部分のみを概念的に示している。
本システムは、概略的に、利用者に配信する配信情報を処理する配信情報処理装置であるサーバ装置１００と、上記配信情報の利用者の情報端末装置であるクライアント装置２００とを、ネットワーク３００を介して通信可能に接続して構成されている。なお、これら配信情報の提供者、および、配信情報の受信者等を、必要に応じて「利用者」と総称する。
【００４７】
このシステムは、概略的に、以下の基本的特徴を有する。すわわち、サーバ装置１００からクライアント装置２００に対して、または、クライアント装置２００からサーバ装置１００に対して、配信情報がネットワーク３００を介して提供される。
このうち、「配信情報」は、情報提供者が情報受信者に対して配信するコンテンツ情報であり、ＨＴＭＬやＸＭＬやＪａｖａＳｃｒｉｐｔ等により記述された情報であり、クライアント装置２００またはサーバ装置１００により生成され、サーバ装置１００に蓄積される。配信情報の少なくとも一部は、ハイパーリンク構造等により階層化されており、また、リアルタイムでクライアント装置２００等により更新される。また、配信情報としては、一例として、株価情報に関するコンテンツ情報やニュースに関するコンテンツ情報等を挙げることができる。図２２は、本システムの配信情報の一例を示す概念図である。この図に示すように、配信情報は、そのカテゴリー等により階層化されてリンクが設定されており、各コンテンツ情報の内容はリアルタイムに変更される。
【００４８】
（クライアント装置２００のモニタに表示される配信情報の表示画面の基本概念）
次に、図２１を参照して、本システムにより、サーバ装置１００からクライアント装置２００に送信され、クライアント装置２００のモニタに表示される配信情報の表示画面の基本概念を説明する。
図２１は、クライアント装置２００のモニタに表示される配信情報の表示画面の一例を示す図である。この図に示すように配信情報の表示画面は、例えば、表示画面のページレイアウト（例えば、後述する分割パターン情報等）を選択するための第１のメニューを表示する第１メニュー表示領域ＭＡ−１、各ページのコンテンツ情報等を選択するための第２のメニューを表示する第２メニュー表示領域ＭＡ−２、各ページ毎にコンテンツ情報を表示するコンテンツ情報表示領域ＭＡ−３、および、ティッカーを表示するティッカー表示領域ＭＡ−４を含んで構成されている。
【００４９】
ここで、利用者は、第１メニュー表示領域ＭＡ−１に表示された第１のメニューの中の複数の分割パターン情報から、所望の分割パターン情報のアイコンを選択すると、後述するように、ＪａｖａＳｃｒｉｐｔ等の第２のメニューの表示制御用のプログラムが実行されて、第２メニュー表示領域ＭＡ−２には、選択された分割パターン情報に対応する第２のメニューが表示される。また、コンテンツ情報表示領域ＭＡ−３には、選択された分割パターン情報に対応するフレーム構成でコンテンツが表示される。
【００５０】
第１メニュー表示領域ＭＡ−１は、表示画面のページレイアウトを選択するための第１のメニューを表示する領域である。第１メニュー表示領域ＭＡ−１には、予めサーバ装置１００に登録された複数の分割パターン情報が表示される。ここで、「分割パターン情報」とは、１つの表示領域を複数のページに分割する際の分割の仕方に関する情報であり、例えば、いくつのページに分割するかを示すページ分割数情報、各ページの表示位置、各ページの表示サイズ等に関する情報を含む。第１メニュー表示領域ＭＡ−１において、分割パターン情報は、分割の仕方を概念的に図示したアイコンとして表示される。
【００５１】
第２メニュー表示領域ＭＡ−２は、後述するようにＪａｖａＳｃｒｉｐｔ等の制御により、表示される内容が可変となる領域であり、各ページのコンテンツ情報等を選択するための第２のメニューを表示する。本図において、第２メニュー表示領域ＭＡ−２１〜第２メニュー表示領域ＭＡ−２８は、第２のメニューの詳細の一例を示す概念図である。第２メニュー表示領域ＭＡ−２１は、レイアウトが４分割（ページ１〜ページ４）されるときの設定メニューである。第２メニュー表示領域ＭＡ−２２は、レイアウトが３分割（ページ１〜ページ３）されるときの設定メニューである。第２メニュー表示領域ＭＡ−２３は、レイアウトが２分割（ページ１、ページ２）されるときの設定メニューである。第２メニュー表示領域ＭＡ−２４は、レイアウトが０分割（ページ１）されるときの設定メニューである。第２メニュー表示領域ＭＡ−２５〜第２メニュー表示領域ＭＡ−２７は、利用者がページ１に選択したコンテンツ情報を、階層毎を表示するメニューである。第２メニュー表示領域ＭＡ−２８は、利用者がいずれかのメニューを選択した場合に、ＪａｖａＳｃｒｉｐｔ等の制御により、その選択結果をフォームとして記録する領域である。
【００５２】
第２メニュー表示領域ＭＡ−２には、第２メニュー表示領域ＭＡ−２１〜第２メニュー表示領域ＭＡ−２７のうち、ＪａｖａＳｃｒｉｐｔ等の制御により、必要な部分のみが選択されて表示される。ここで、ＪａｖａＳｃｒｉｐｔ等の第２のメニューの表示制御用のプログラムは、第２のメニューの表示順序について予めプログラミングされており、利用者がどのデータを選択したかを判断して、順次適切な第２のメニューを表示できるようにプログラムされている。すなわち、第２メニュー表示領域ＭＡ−２に表示される第２のメニューは、利用者がメニューから選択した内容を格納したフォーム（第２メニュー表示領域ＭＡ−２８）に従って、ＪａｖａＳｃｒｉｐｔ等で予め規定されたプログラムにより表示する領域を第２メニュー表示領域ＭＡ−２１〜第２メニュー表示領域ＭＡ−２７から以下のように選択されて、表示される。
【００５３】
まず最初は、第１メニュー表示領域ＭＡ−１で選択された分割パターン情報に従って、第２メニュー表示領域ＭＡ−２１〜第２メニュー表示領域ＭＡ−２４のうちのいずれか一つが第２メニュー表示領域ＭＡ−２に表示される。例えば、利用者が、第１メニュー表示領域ＭＡ−１において４分割する分割パターン情報を選択すると、第２メニュー表示領域ＭＡ−２には第２メニュー表示領域ＭＡ−２１が表示される。ここで、利用者が、第２メニュー表示領域ＭＡ−２１において、「ページ１」を選択すると、次に、第２メニュー表示領域ＭＡ−２には、第２メニュー表示領域ＭＡ−２５が表示される。
【００５４】
そして、利用者が、第２メニュー表示領域ＭＡ−２５において、「ニュース」を選択すると、次に、第２メニュー表示領域ＭＡ−２には、第２メニュー表示領域ＭＡ−２６が表示される。このように、利用者は、第２メニュー表示領域ＭＡ−２に表示されるコンテンツ情報のメニューを順に選択していくことにより、階層化されたコンテンツ情報のうち所望のコンテンツ情報を選択できることになる。
【００５５】
コンテンツ情報表示領域ＭＡ−３は、第２メニュー表示領域ＭＡ−２に表示される第２のメニューにより利用者が選択したコンテンツ情報を、各フレーム毎に表示する領域である。本図では４つのページ（Ｐ１〜Ｐ４）に分割する場合を一例として説明しており、各ページには、第２のメニューにおいて各ページ毎に選択されたコンテンツ情報が、表示されることになる。
【００５６】
なお、コンテンツ情報は、サーバ装置１００からＰＵＳＨ技術等を用いて送信され、サーバ装置１００のコンテンツ情報が変更された場合には、リアルタイムで変更後のコンテンツ情報がクライアント装置２００に送信され、クライアント装置２００のモニタ上のコンテンツ情報表示領域ＭＡ−３に表示される。
【００５７】
ティッカー表示領域ＭＡ−４は、コンテンツ情報をスクロール表示するティッカーを表示する領域である。本領域に表示されるコンテンツ情報も上述したＰＵＳＨ技術等を用いて送信されるので、リアルタイムで更新される。
【００５８】
（システム構成）
以下、このような基本的特徴を具現化するための、本システムの構成について説明する。
【００５９】
（システム構成―サーバ装置１００）
まず、サーバ装置１００の構成について説明する。図２は、本発明が適用されるサーバ装置１００の構成の一例を示すブロック図であり、該構成のうち本発明に関係する部分のみを概念的に示している。図２においてサーバ装置１００は、概略的に、サーバ装置１００の全体を統括的に制御するＣＰＵ等の制御部１０２、通信回線等に接続されるルータ等の通信装置（図示せず）に接続される通信制御インタフェース部１０４、および、各種のデータベース（ページレイアウトデータベース１０６ａ〜ティッカーデータベース１０６ｄ）を格納する記憶部１０６を備えて構成されており、これら各部は任意の通信路を介して通信可能に接続されている。さらに、このサーバ装置１００は、ルータ等の通信装置および専用線等の有線または無線の通信回線を介して、ネットワーク３００に通信可能に接続されている。
【００６０】
記憶部１０６に格納される各種のデータベース（ページレイアウトデータベース１０６ａ〜ティッカーデータベース１０６ｄ）は、固定ディスク装置等のストレージ手段であり、各種処理やウェブサイト提供に用いる各種のプログラムやテーブルやファイルやデータベースやウェブページ用ファイル等を格納する。ここで、格納される各種のデータは、ＨＴＭＬ形式やＸＭＬ形式等の任意の形式のデータであってもよい。
【００６１】
これら１０６の各構成要素のうち、ページレイアウトデータベース１０６ａは、配信情報のページレイアウトに関するページレイアウト情報等を格納するページレイアウト格納手段である。このページレイアウトデータベース１０６ａに格納される情報は、分割パターン識別子（番号等）、画面をページに分割するフレームに関するフレーム情報（ページ数、ページサイズ、ページ位置等）、ページに表示されるコンテンツの識別番号、および、分割の仕方を概念的に図示したアイコンデータ等を含むページレイアウト情報や、表示されるメニュー画面に関するメニュー情報や、利用者識別子等を相互に関連付けて構成されている。
【００６２】
また、コンテンツデータベース１０６ｂは、配信情報のコンテンツに関するコンテンツ情報等を格納するコンテンツ情報格納手段である。このコンテンツデータベース１０６ｂに格納される情報は、コンテンツ識別子（番号等）、および、コンテンツの表示用ウェブページ等を含むコンテンツ情報等を相互に関連付けて構成されている。
【００６３】
また、利用者データベース１０６ｃは、利用者の氏名等に関する利用者情報等を格納する利用者情報格納手段である。この利用者データベース１０６ｃに格納される情報は、利用者識別子（番号等）、メールアドレス、性別、氏名、生年月日、住所、居住地域、職業、および、利用者が選択したページレイアウト情報等を相互に関連付けて構成されている。
【００６４】
また、ティッカーデータベース１０６ｄは、表示されるティッカーに関するティッカー情報等を格納するティッカー情報格納手段である。このティッカーデータベース１０６ｄに格納される情報は、ティッカー識別子（番号等）、ティッカー用のコンテンツ情報、デフォルトのスクロール速度、スクロール速度の変化幅等を含むティッカー情報、および、利用者識別子等を相互に関連付けて構成されている。
【００６５】
また、その他の情報として、サーバ装置１００の１０６には、ウェブサイトをクライアント装置２００に提供するための各種のＷｅｂデータやＣＧＩプログラム等が記録されている。
【００６６】
また、図２において、通信制御インタフェース部１０４は、サーバ装置１００とネットワーク３００（またはルータ等の通信装置）との間における通信制御を行う。すなわち、通信制御インタフェース部１０４は、他の端末と通信回線を介してデータを通信する機能を有する。
【００６７】
また、図２において、制御部１０２は、ＯＳ（Ｏｐｅｒａｔｉｎｇ Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、ページレイアウト処理部１０２ａ、コンテンツ処理部１０２ｂ、ティッカー処理部１０２ｃ、および、利用者処理部１０２ｄを備えて構成されている。
【００６８】
このうち、ページレイアウト処理部１０２ａは、利用者の要求により利用者のクライアント装置２００のモニタに表示されるウェブページのページレイアウトを作成、変更等するページレイアウト処理手段である。また、コンテンツ処理部１０２ｂは、配信情報のコンテンツを管理し利用者のクライアント装置２００に送信等するコンテンツ処理手段である。また、ティッカー処理部１０２ｃは、ティッカーを利用者のクライアント装置２００に送信等するティッカー処理手段である。また、利用者処理部１０２ｄは、利用者に関する情報の登録、変更等を行う利用者処理手段である。なお、これら各部によって行なわれる処理の詳細については、後述する。
【００６９】
（システム構成−クライアント装置２００）
次に、クライアント装置２００の構成について説明する。クライアント装置２００は、概略的には、制御部、ＲＯＭ、ＲＡＭ、ＨＤ、入力装置、出力装置、入出力制御ＩＦ、および、通信制御ＩＦを備えて構成されており、これら各部がバスを介してデータ通信可能に接続されている。
【００７０】
このクライアント装置の制御部は、Ｗｅｂブラウザおよび電子メーラを備えて構成されている。このうち、Ｗｅｂブラウザは、基本的には、Ｗｅｂデータを解釈して、後述するモニタに表示させる表示制御（ブラウズ処理）を行うものである。また、電子メーラは、所定の通信規約（例えば、ＳＭＴＰ（ＳｉｍｐｌｅＭａｉｌ Ｔｒａｎｓｆｅｒ Ｐｒｏｔｏｃｏｌ））に従って、電子メールの送受信を行う。
【００７１】
また、入力装置としては、キーボード、マウス、および、マイク等を用いることができる。また、後述するモニタも、マウスと協働してポインティングデバイス機能を実現する。
【００７２】
また、出力装置としては、モニタ（家庭用テレビを含む）の他、スピーカを用いることができる（なお、以下においては出力装置をモニタとして記載する）。
【００７３】
また、通信制御ＩＦは、クライアント装置とインターネット（またはルータ等の通信装置）との間における通信制御を行う。この通信制御ＩＦは、ネットワーク３００との通信手段である。
【００７４】
このように構成されたクライアント装置は、モデム、ＴＡ、ルータ等の通信装置と電話回線を介して、あるいは、専用線を介して、インターネットに接続されており、所定の通信規約（例えば、ＴＣＰ／ＩＰインターネットプロトコル）に従ってサーバ装置１００にアクセスすることができる。
【００７５】
（システム構成−ネットワーク３００）
次に、ネットワーク３００の構成について説明する。ネットワーク３００は、サーバ装置１００とクライアント装置２００とを相互に接続する機能を有し、例えば、インターネット等である。
【００７６】
（システムの処理）
次に、このように構成された本実施の形態における本システムの処理の一例について、以下に図３〜図２０を参照して詳細に説明する。
【００７７】
（メイン処理）
次に、このように構成された本システムを用いて行なわれる本方法としてのメイン処理の詳細について図３を参照して説明する。図３は、本実施形態における本システムのメイン処理の一例を示すフローチャートである。
まず、クライアント装置２００は、サーバ装置１００の提供するウェブサイトのアドレス（ＵＲＬ等）を利用者がブラウザソフトウェア等の画面上で入力装置等を介して指定することにより、インターネットを介して、サーバ装置１００に接続する（ステップＳＡ−１）。なお、ウェブサイト等への接続方法や閲覧方法等については、従来の技術を用いて実現することができるため詳細な説明は省略する。
【００７８】
サーバ装置１００は、ページレイアウト処理部１０２ａの処理により、メイン画面用のウェブページをページレイアウトデータベース１０６ａから抽出して、クライアント装置２００に対して送信する（ステップＳＡ−２）。これにより、クライアント装置２００のモニタにメイン画面用のウェブページが表示される。
【００７９】
図７は、クライアント装置２００のモニタに表示されるメイン画面用のウェブページの表示画面の一例を示す図である。この図に示すようにメイン画面用のウェブページの表示画面は、上述した第１のメニューであるページレイアウトを選択するためのメニューを表示する領域が表示される（図中で楕円で囲んだ部分）。本図では、分割の仕方を概念的に図示した９つのアイコン（ＭＢ−１〜ＭＢ−９）により、９種類の分割パターン情報が表示されている。すなわち、４ページに分割するページレイアウトの分割パターン情報が２つ（ＭＢ−１およびＭＢ−２）、３ページに分割するページレイアウトの分割パターン情報が４つ（ＭＢ−３〜ＭＢ−６）、２ページに分割するページレイアウトの分割パターン情報が２つ（ＭＢ−７およびＭＢ−８）、および、１ページに分割するページレイアウトの分割パターン情報が１つ（ＭＢ−９）表示されている。
【００８０】
利用者は、クライアント装置２００の入力装置（マウス等）を介して所望の分割パターンを示す分割パターン情報のアイコンを選択すると、クライアント装置２００は、選択された分割パターン情報をサーバ装置１００に送信する（ステップＳＡ−３）。
【００８１】
サーバ装置１００は、ページレイアウト処理部１０２ａの処理により、選択された分割パターン情報に対応するページレイアウトのフレーム構造を有するウェブページをページレイアウトデータベース１０６ａから抽出して、クライアント装置２００に対して送信する（ステップＳＡ−４）。
【００８２】
ついで、クライアント装置２００のモニタに表示される分割画面用のウェブページに基づいて、利用者は、後述するように、各分割されたページに表示されるコンテンツの設定処理を行い（ステップＳＡ−５）、さらに、文字等がスクロールされる表示領域であるティッカーの設定処理を行う（ステップＳＡ−６）。これにて、メイン処理が終了する。
【００８３】
（各ページのコンテンツ設定処理）
次に、図３のステップＳＡ−５において上述した、各ページのコンテンツ設定処理の詳細について図４を参照して説明する。図４は、本実施形態における本システムの各ページのコンテンツ設定処理の一例を示すフローチャートである。
まず、利用者は、クライアント装置２００のモニタに表示される分割画面用のウェブページに基づいて、コンテンツを設定するページを選択する（ステップＳＢ−１）。
【００８４】
図８は、クライアント装置２００のモニタに表示されるページ選択用のウェブページの表示画面の一例を示す図である。この図に示すようにページ選択用のウェブページの表示画面には、上述した第２のメニューにおいて、各ページを選択するためのメニューを表示する領域が表示される（図中で楕円で囲んだ部分）。なお、本図では、上述の第１のメニューにおいて４ページに分割されるパターンを選択した場合を一例に説明している。また、各ページを選択するためのボタンの左側には、ページの表示位置および表示サイズを概念的に表すアイコンが表示されている（ＭＣ−１〜ＭＣ−４）。
【００８５】
利用者は、ページ１〜４のうち、コンテンツを設定するページに対応するボタン（ＭＣ−１〜ＭＣ−４）を、クライアント装置２００の入力装置（マウス等）を介してクリック等することにより選択すると、クライアント装置２００は、選択されたページに関する情報をサーバ装置１００に対して送信する。
【００８６】
サーバ装置１００は、クライアント装置２００から選択されたページを受信すると、ページレイアウト処理部１０２ａの処理により、当該ページに表示するコンテンツを選択するためのウェブページをページレイアウトデータベース１０６ａにアクセスして作成する。すなわち、ページレイアウト処理部１０２ａは、ページレイアウトデータベース１０６ａに格納された第２のメニューの中から、上述したＪａｖａＳｃｒｉｐｔ等の第２のメニューの表示制御プログラムにより適切なコンテンツを選択するメニューを抽出して、コンテンツ選択用ウェブページを作成する。
【００８７】
そして、ページレイアウト処理部１０２ａは、作成したコンテンツ選択用ウェブページを、クライアント装置２００に対して送信する（ステップＳＢ−２）。これにより、クライアント装置２００のモニタにはコンテンツ選択用ウェブページが表示される。
【００８８】
図９は、クライアント装置２００のモニタに表示されるコンテンツ選択用ウェブページの表示画面の一例を示す図である。この図に示すようにコンテンツ選択用ウェブページの表示画面には、上述した第２のメニューにおいて、各ページのコンテンツ情報等を選択するためのメニューを表示する領域が表示される（図中で楕円で囲んだ部分）。
【００８９】
ここで、利用者は、コンテンツ（例えば、ニュースＭＤ−１、株価情報ＭＤ−２、チャートＭＤ−３）のうち、所望のコンテンツに対応するボタン（ＭＤ−１〜ＭＤ−３）を、クライアント装置２００の入力装置（マウス等）を介してクリック等することにより選択すると、クライアント装置２００は、選択されたコンテンツに関する情報をサーバ装置１００に対して送信する（ステップＳＢ−３）。
【００９０】
サーバ装置１００は、クライアント装置２００から選択されたコンテンツを受信すると、ページレイアウト処理部１０２ａの処理により、当該コンテンツの下位の階層にあるカテゴリーを選択するためのウェブページをページレイアウトデータベース１０６ａにアクセスして作成する。すなわち、ページレイアウト処理部１０２ａは、ページレイアウトデータベース１０６ａに格納された第２のメニューの中から、上述したＪａｖａＳｃｒｉｐｔ等の第２のメニューの表示制御プログラムにより適切なコンテンツのカテゴリーを選択するメニューを抽出して、カテゴリー選択用ウェブページを作成する。
【００９１】
そして、ページレイアウト処理部１０２ａは、作成したカテゴリー選択用ウェブページを、クライアント装置２００に対して送信する（ステップＳＢ−４）。これにより、クライアント装置２００のモニタにはカテゴリー選択用ウェブページが表示される。
【００９２】
図１０は、クライアント装置２００のモニタに表示されるカテゴリー選択用ウェブページの表示画面の一例を示す図である。この図に示すようにカテゴリー選択用ウェブページの表示画面には、上述した第２のメニューにおいて、各ページのカテゴリー情報等を選択するためのメニューを表示する領域が表示される（図中で楕円で囲んだ部分）。
【００９３】
利用者は、カテゴリー（例えば、主なニュースＭＥ−１、株式ＭＥ−２、為替ＭＥ−３、金利ＭＥ−４）のうち、所望のカテゴリーに対応するボタン（ＭＥ−１〜ＭＥ−４）を、クライアント装置２００の入力装置（マウス等）を介してクリック等することにより選択すると、クライアント装置２００は、選択されたカテゴリーに関する情報をサーバ装置１００に対して送信する（ステップＳＢ−５）。
【００９４】
サーバ装置１００は、クライアント装置２００から選択されたカテゴリーを受信すると、ページレイアウト処理部１０２ａの処理により、当該カテゴリーの下位の階層にあるインデックス情報を選択するためのウェブページをページレイアウトデータベース１０６ａにアクセスして作成する。すなわち、ページレイアウト処理部１０２ａは、ページレイアウトデータベース１０６ａに格納された、コンテンツの当該カテゴリーに格納されたインデックス情報を選択するメニューを抽出して、インデックス情報選択用ウェブページを作成する。
【００９５】
そして、ページレイアウト処理部１０２ａは、作成したインデックス情報選択用ウェブページを、クライアント装置２００に対して送信する（ステップＳＢ−６）。これにより、クライアント装置２００のモニタにはインデックス情報選択用ウェブページが表示される。
【００９６】
図１１は、クライアント装置２００のモニタに表示されるインデックス情報選択用ウェブページの表示画面の一例を示す図である。この図に示すようにインデックス情報選択用ウェブページの表示画面には、上述したコンテンツ情報表示領域において、各ページのインデックス情報等を選択するためのメニューを表示する領域が表示される。利用者は、インデックス情報（例えば、主なニュースのヘッドライン等）のうち、所望のインデックス情報に対応するボタンを、クライアント装置２００の入力装置（マウス等）を介してクリック等することにより選択すると、クライアント装置２００は、選択されたインデックス情報に関する情報をサーバ装置１００に対して送信する（ステップＳＢ−７）。
【００９７】
サーバ装置１００は、クライアント装置２００から選択されたインデックス情報を受信すると、コンテンツ処理部１０２ｂの処理により、当該インデックス情報の下位の階層（すなわち、ハイパーリンクが設定されている）のコンテンツ情報を表示するためのウェブページをコンテンツデータベース１０６ｂにアクセスして作成する。すなわち、コンテンツ処理部１０２ｂは、コンテンツデータベース１０６ｂに格納された、当該インデックス情報に対応するコンテンツ情報を抽出して、そのコンテンツ情報を選択したページ上に表示するためのコンテンツ情報表示用ウェブページを作成する。
【００９８】
そして、コンテンツ処理部１０２ｂは、作成したコンテンツ情報表示用ウェブページを、クライアント装置２００に対して送信する（ステップＳＢ−８）。これにより、クライアント装置２００のモニタにはコンテンツ情報表示用ウェブページが表示される。
【００９９】
図１２は、クライアント装置２００のモニタに表示されるコンテンツ情報表示用ウェブページの表示画面の一例を示す図である。この図に示すようにコンテンツ情報表示用ウェブページの表示画面には、上述したコンテンツ情報表示領域において、各ページのコンテンツ情報等が表示される。
【０１００】
ここで、利用者は、コンテンツ情報の閲覧が終わると、「ヘッドラインに戻る」ボタンを、クライアント装置２００の入力装置（マウス等）を介してクリック等することにより選択すると、クライアント装置２００は、その旨をサーバ装置１００に対して送信し、上述したインデックス情報選択用ウェブページの表示画面がサーバ装置１００から再び送信される。
【０１０１】
上述したステップＳＢ−１からステップＳＢ−８と同様の処理を繰返すことにより、全てのページについて、利用者は所望のコンテンツ情報を表示させることができる。ここで、図１３は、クライアント装置２００のモニタに表示されるコンテンツ情報表示用ウェブページの表示画面の一例を示す図である。本図に示すように、全てのページに所望のコンテンツ情報を表示する。なお、各処理の詳細については上述したため省略する。これにて、各ページのコンテンツ設定処理が終了する。
【０１０２】
（ティッカー設定処理）
次に、図３のステップＳＡ−６において上述した、ティッカー設定処理の詳細について図５を参照して説明する。図５は、本実施形態における本システムのティッカー設定処理の一例を示すフローチャートである。
まず、利用者は、クライアント装置２００のモニタに表示されるティッカー番号選択用のウェブページに基づいて、設定するティッカー番号を選択する（ステップＳＣ−１）。
【０１０３】
図１４は、クライアント装置２００のモニタに表示されるティッカー番号選択用のウェブページの表示画面の一例を示す図である。この図に示すようにティッカー番号選択用のウェブページの表示画面には、ティッカー番号を選択するためのメニューを表示する領域が表示される（図中で楕円で囲まれた部分）。なお、ティッカー番号選択用ウェブページは、上述した各ウェブページと兼用しても良い。なお、本図では、ティッカー番号１（ティッカー表示領域の上段に表示）の選択ボタンＭＦ−１とティッカー番号２（ティッカー表示領域の下段に表示）の選択ボタンＭＦ−２が存在し、上述したティッカー表示領域が、さらに２つの表示領域に分割されている場合を一例に説明している。
【０１０４】
利用者は、ティッカー番号１の選択ボタンＭＦ−１、または、ティッカー番号２の選択ボタンＭＦ−２のうち、設定するティッカー番号に対応するボタンを、クライアント装置２００の入力装置（マウス等）を介してクリック等することにより選択すると、クライアント装置２００は、選択されたティッカー番号に関する情報をサーバ装置１００に対して送信する。
【０１０５】
サーバ装置１００は、クライアント装置２００から選択されたティッカー番号を受信すると、ティッカー処理部１０２ｃの処理により、当該ティッカー番号のティッカーを設定するためのウェブページをティッカーデータベース１０６ｄにアクセスして作成する。すなわち、ティッカー処理部１０２ｃは、ティッカーデータベース１０６ｄに格納されたティッカー用のコンテンツ情報の中から、選択されたティッカー番号のコンテンツ情報を抽出して、ティッカー設定用ウェブページを作成する。
【０１０６】
そして、ティッカー処理部１０２ｃは、作成したティッカー設定用ウェブページを、クライアント装置２００に対して送信する（ステップＳＣ−２）。これにより、クライアント装置２００のモニタにはティッカー設定用ウェブページが表示される。
【０１０７】
図１５は、クライアント装置２００のモニタに表示されるティッカー設定用のウェブページの表示画面の一例を示す図である。この図に示すようにティッカー設定用のウェブページの表示画面には、ティッカーに表示するコンテンツ情報を選択するためのメニューを表示する領域が表示される（図中で楕円で囲んだ部分）。なお、本図では、ティッカー番号１に所望の株価コードの銘柄の株価情報を表示させる場合を一例に説明している。
【０１０８】
利用者は、所望の株価コードの入力領域（ＭＧ−１〜ＭＧ−４）に、クライアント装置２００の入力装置を介して、株価コードを入力することにより、クライアント装置２００は、入力されたコンテンツ情報の設定内容に関する情報をサーバ装置１００に対して送信する（ステップＳＣ−３）。
【０１０９】
サーバ装置１００は、クライアント装置２００から入力されたティッカーのコンテンツ情報の設定内容を受信すると、ティッカー処理部１０２ｃの処理により、設定された当該コンテンツ情報のティッカーを表示するためのウェブページをティッカーデータベース１０６ｄにアクセスして作成する。すなわち、ティッカー処理部１０２ｃは、ティッカーデータベース１０６ｄに格納されたティッカー用のコンテンツ情報の中から、選択されたコンテンツ情報を抽出し、また、ティッカーデータベース１０６ｄに格納されたデフォルトのスクロール速度等を抽出して、ティッカー用ウェブページを作成する。
【０１１０】
そして、ティッカー処理部１０２ｃは、作成したティッカー用ウェブページを、クライアント装置２００に対して送信する（ステップＳＣ−４）。これにより、クライアント装置２００のモニタにはティッカー用ウェブページが表示される。
【０１１１】
図１６は、クライアント装置２００のモニタに表示されるティッカー用のウェブページの表示画面の一例を示す図である。この図に示すようにティッカー用のウェブページの表示画面には、設定されたコンテンツ情報がティッカー表示領域ＭＨ−１に、デフォルトのスクロール速度でスクロールして表示される（図中で楕円で囲んだ部分）。なお、本図では、ティッカー番号１のティッカー表示領域に所望の株価コードの銘柄の株価情報を表示させる場合を一例に説明している。
【０１１２】
ステップＳＣ−１からステップＳＣ−４を繰返すことにより、利用者は、他のティッカー番号に対応するコンテンツ情報を設定することができる。
【０１１３】
図１７は、クライアント装置２００のモニタに表示されるティッカー番号２の選択用のウェブページの表示画面の一例を示す図である。この図に示すように、利用者は、既に設定したティッカー番号１の選択ボタンＭＪ−１、および、未設定のティッカー番号２の選択ボタンＭＪ−２のうち、設定するティッカー番号２の選択ボタンＭＪ−２を、クライアント装置２００の入力装置（マウス等）を介してクリック等することにより選択する（図中で楕円で囲んだ部分）。
【０１１４】
また、図１８は、クライアント装置２００のモニタに表示されるティッカー設定用のウェブページの表示画面の一例を示す図である。この図に示すように、利用者は、ティッカー番号２の領域に表示させるコンテンツ情報を、クライアント装置２００の入力装置を介して入力する（図中で楕円で囲んだ部分）。すなわち、利用者は所望のコンテンツ選択ボタン（ＭＫ−１〜ＭＫ−３）をマウスでクリック等することにより選択する。
【０１１５】
また、図１９は、クライアント装置２００のモニタに表示されるティッカー用のウェブページの表示画面の一例を示す図である。この図に示すようにティッカー用のウェブページの表示画面ＭＬ−３には、設定されたティッカー番号２のコンテンツ情報がティッカー表示領域にスクロールして表示される（図中で楕円で囲んだ部分）。なお、本図では、ティッカー番号１（上段に表示）に所望の株価コードの銘柄の株価情報を表示させ、また、ティッカー番号２（下段に表示）にニュース情報を表示させる場合を一例に説明している。これらの処理の詳細は、上述したため省略する。
【０１１６】
また、利用者は、ティッカーの表示スピードを調整する調整領域（ＭＬ−１、ＭＬ−２、ＭＬ−４、および、ＭＬ−５）を、クライアント装置２００の入力装置を介して選択することにより、クライアント装置２００は、入力されたコンテンツ情報のスクロール速度に関する情報をサーバ装置１００に対して送信する（ステップＳＣ−５）。すなわち、図１９において示すように、ティッカー表示領域の上段および下段の表示領域の両端に表示されたスピード調整ボタン（左端がスクロール速度を予め定めた変化幅分上げるボタン（ＭＬ−１、ＭＬ−２）であり、また、右端がスクロール速度を予め定めた変化幅分下げるボタン（ＭＬ−４、ＭＬ−５）である）をクリックすることにより、スクロール速度を段階的に変えることができる。
【０１１７】
サーバ装置１００は、クライアント装置２００から入力されたティッカーのスクロール速度の設定内容を受信すると、ティッカー処理部１０２ｃの処理により、設定されたスクロール速度で当該コンテンツ情報のティッカーを表示するためのウェブページをティッカーデータベース１０６ｄにアクセスして作成する。すなわち、ティッカー処理部１０２ｃは、ティッカーデータベース１０６ｄに格納されたスクロール速度の変化幅を抽出して、設定されたスクロール速度を当該変化幅分増減して、ティッカー用ウェブページを作成する。
【０１１８】
そして、ティッカー処理部１０２ｃは、作成したティッカー用ウェブページを、クライアント装置２００に対して送信する（ステップＳＣ−６）。これにより、クライアント装置２００のモニタにはスクロール速度が変化したティッカー用ウェブページが表示される。これにて、ティッカー設定処理が終了する。
【０１１９】
なお、スクロール速度の変更は、ｊａｖａ等で記述されたスクロール速度変更プログラムの制御によりクライアント装置側で変更してもよい。すなわち、サーバ装置１００からクライアント装置に送信されるティッカー情報の中に、スクロール速度に関するスクロール速度情報と、スクロール速度を変更するスクロール速度変更プログラムとを含めることにより、利用者がスクロール速度の変更を選択した時点で、該スクロール速度変更プログラムの制御により即時にスクロール速度を変更することができる。これにより、スクロール速度の変更時にサーバ装置１００とクライアント装置２００との通信が削減でき、また、処理スピードも向上する。
【０１２０】
（画面情報のセーブ・ロード処理）
次に、画面情報のセーブ・ロード処理の詳細について図６および図２０を参照して説明する。
利用者が上述したように設定したページレイアウトや、ティッカー等に関する情報は、任意のタイミングでウェブページ上に表示される「セーブ」または「ロード」ボタンをクリック等することにより、保存または読み出すことができる。
【０１２１】
図６は、本実施形態における本システムの画面情報のセーブ・ロード処理の一例を示すフローチャートである。また、図２０は、クライアント装置２００のモニタに表示されるセーブ・ロード用のウェブページの表示画面の一例を示す図である。
【０１２２】
まず、利用者が、任意のタイミングで、各ウェブページに表示された「セーブ」ボタンＭＨ−１を入力装置等により選択すると、クライアント装置２００は、その旨をサーバ装置１００に対して送信する（ステップＳＤ−１）。サーバ装置１００は、クライアント装置２００からセーブの指示を受信すると、利用者処理部１０２ｄの処理により、ページレイアウトデータベース１０６ａおよびティッカーデータベース１０６ｄに格納されたページレイアウト情報およびティッカー情報のうち、当該利用者が上述した手順により設定した内容を抽出して、利用者データベース１０６ｃに格納する（ステップＳＤ−２）。
【０１２３】
まず、利用者が、任意のタイミングで、各ウェブページに表示された「ロード」ボタンＭＨ−２を入力装置等により選択すると、クライアント装置２００は、その旨をサーバ装置１００に対して送信する（ステップＳＤ−３）。サーバ装置１００は、クライアント装置２００からロードの指示を受信すると、利用者処理部１０２ｄの処理により、利用者データベース１０６ｃに格納された、当該利用者が上述した手順により設定したページレイアウト情報およびティッカー情報を抽出する。
【０１２４】
そして、抽出した内容に基づいて当該利用者のウェブページを作成し、クライアント装置２００に対して送信する（ステップＳＤ−４）。これにて、画面情報のセーブ・ロード処理が終了する。なお、当該利用者が上述した手順により設定したページレイアウト情報およびティッカー情報の少なくとも一部については、クライアント装置のクッキーファイルに保存しておいてもよい。
【０１２５】
また、利用者が上述したように設定したページレイアウトや、ティッカー等に関する情報を保存した場合、所定の条件において、自動的に保存された内容を読み込んで画面表示内容を切り替えてもよい。例えば、東京証券市場がオープンする時間になると、株価情報を閲覧するための画面表示のページレイアウトが自動的に読み込まれ表示されるようにしてもよい。また、例えば、利用者が予めサーバ装置１００に登録していた事項（例えば、特定分野のニュース情報や、特定銘柄の株価情報等）について、コンテンツ情報が更新された場合に、当該情報を閲覧するための画面表示のページレイアウトが自動的に読み込まれ表示されるようにしてもよい。
【０１２６】
（データ配信サーバを用いる場合の概要）
以下、上述したサーバ装置１００を、図２３に示すサーバシステム１として構成する場合について説明する。
図２３においてサーバシステム１は、Ｗｅｂサーバ（またはＷＷＷサーバ）４、アプリケーションサーバ（以下、ＡＰサーバ）５、および、データ配信サーバ６を備えて構成されており、これら各サーバ４〜６はＬＡＮ（Ｌｏｃａｌ Ａｒｅａ Ｎｅｔｗｏｒｋ）やＷＡＮ（Ｗｉｄｅ Ａｒｅａ Ｎｅｔｗｏｒｋ）の如き任意のネットワーク３００にて通信可能に接続されており、全体として一つのサーバ群が構成されている。 このサーバシステム１のうち、Ｗｅｂサーバ４は、概略的に、クライアント装置２００から配信要求データを受信してこれを解釈し、要求されたデータを取得してこれをクライアント装置２００に送信するものであり、特に本実施形態においては、配信処理オブジェクトの配信を制御する配信処理オブジェクト配信手段として機能する。また、ＡＰサーバ５は、概略的に、Ｗｅｂサーバ４またはデータ配信サーバ６からの要求を受けて、利用者のアクセス管理やＷｅｂページの生成を行い、その結果をＷｅｂサーバ４に送信するものであり、特に本実施形態においては、非随時更新データの配信を制御する非随時更新データ配信手段として機能する。また、データ配信サーバ６は、概略的に、クライアント装置２００からの要求を受けて、随時更新データを取得して、クライアント装置２００に送信するものであり、特に本実施形態においては、随時更新データの配信を制御する随時更新データ配信手段として機能する。
【０１２７】
本システムにおいて、各クライアント装置２００の利用者は、サーバシステム１から各種データの配信を受けることができる。この配信の対象となるデータは任意であるが、本実施の形態においては、証券データを配信する例を示す。
【０１２８】
本システムにおいてサーバシステム１から配信されるデータは、随時更新データ、非随時更新データ、配信処理オブジェクト、および、オブジェクト取得情報に大別される。このうち、随時更新データは、上述のように随時に更新されるデータであり、本実施形態においては株価データ（例えば、現在株価、高値、安値等）である。また、非随時更新データは、上述のように更新頻度や更新の必要性の低いデータであり、本実施形態においては株価データを表示するための表示枠や背景に関する画像データ、あるいは、証券コードや会社名等の文字データである。また、配信処理オブジェクトは、随時更新データの配信をクライアント装置２００からサーバシステム１に要求するための処理を記述したデータである。そして、オブジェクト取得情報とは、この配信処理オブジェクトをクライアント装置２００からサーバシステム１に要求するための情報である。なお、各データの具体的内容は、任意に決定することができる。
【０１２９】
そして本システムにおいては、随時更新データ、非随時更新データ、配信処理オブジェクト、および、オブジェクト取得情報をそれぞれ個別に管理し、少なくとも随時更新データについては他のデータから分離されてクライアント装置２００に配信される。また、この随時更新データの配信に関して、暗号化のための制御、利用者毎のアクセスレベルを制御するためのアクセス制御、あるいは、配信タイミングを制御するためのタイミング制御等が必要に応じて行われる。
【０１３０】
本システムによれば、リアルタイムに更新される例えば株価チャート等の株価情報やニュース情報等を、データ配信サーバ６を用いて配信することが可能になるため、システムの負荷を軽減しつつ、クライアント装置２００に対してのリアルタイムのデータ配信が可能になる。
【０１３１】
また、図２１において上述した第１のメニューおよび第２のメニューを、サーバシステム１からクライアント装置２００にまとめて送信し、クライアント装置２００が、ＪＡＶＡ等のプログラムの制御により、受信した第１のメニューおよび第２のメニューに基づいてモニタに表示される第２のメニュー等の表示画面を生成するようにしてもよい。これにより、サーバシステム１とクライアント装置２００との間の通信は、第１のメニューおよび第２のメニューを送信する時と、利用者が選択したコンテンツ情報を送信するときに限定されるため、トラヒック量を軽減することができ、処理の迅速化を図ることができるようになる。
【０１３２】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１３３】
ここで、サーバ装置１００において、各コンテンツ情報を表示する際のフレーム構成のテンプレート情報を持っていてもよい。すなわち、サーバ装置１００の記憶部１０６に、コンテンツ情報に対応するページレイアウト情報をテンプレートとして格納しておく。これにより、株価情報を表示するためのおすすめのフレーム構成や、ニュース情報を表示するためのおすすめのフレーム構成を予め格納しておき、利用者がコンテンツを選択した際に上述した設定作業をすることなくデフォルトのフレーム構成を送信することができるようになる。
また、所定の銘柄の株価が、所定の値動きをした場合等の予め定めた条件に該当する場合に、予め定めたテンプレート情報を読み出すようにしてもよい。また、関連する企業の情報（例えば、連結決算を行う企業やグループ企業の情報等）については、同一の表示画面で見られるようにしてもよい。
【０１３４】
また、コンテンツ情報表示領域ＭＡ−３とティッカー表示領域ＭＡ−４に表示されるコンテンツ情報は利用者が所望のコンテンツ情報を選択できる場合を一例に説明したが、サーバ装置１００側でコンテンツ情報表示領域ＭＡ−３とティッカー表示領域ＭＡ−４に関連のあるコンテンツ情報を抽出して送信してもよい。例えば、コンテンツ情報表示領域ＭＡ−３に表示したコンテンツ情報のうち、リアルタイムで更新された情報については、サーバ装置１００は同時にティッカー表示領域ＭＡ−４用のコンテンツ情報としてクライアント装置に送信し表示させてもよい。
【０１３５】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１３６】
また、サーバ装置１００から配信される各種の配信情報は、ＰＵＳＨ技術等を用いて、サーバ装置１００側で更新されるとリアルタイムに更新された内容がクライアント装置２００側に送信されるように構成しても良い。
【０１３７】
この他、上記文書中や図面中で示した処理手順、制御手順、具体的名称、各種の登録データや検索条件等のパラメータを含む情報、画面例については、特記する場合を除いて任意に変更することができる。
【０１３８】
また、サーバ装置１００に関して、図示の各構成要素は機能概念的なものであり、必ずしも物理的に図示の如く構成されていることを要しない。
例えば、サーバ装置１００の各サーバが備える処理機能、特に制御部にて行なわれる各処理機能については、その全部または任意の一部を、ＣＰＵ（Ｃｅｎｔｒａｌ Ｐｒｏｃｅｓｓｉｎｇ Ｕｎｉｔ）および当該ＣＰＵにて解釈実行されるプログラムにて実現することができ、あるいは、ワイヤードロジックによるハードウェアとして実現することも可能である。なお、プログラムは、図示しない本記録媒体に記録されており、必要に応じてサーバ装置１００に機械的に読み取られる。
【０１３９】
また、サーバ装置１００は、さらなる構成要素として、マウス等の各種ポインティングデバイスやキーボードやイメージスキャナやデジタイザ等から成る入力装置（図示せず）、入力データのモニタに用いる表示装置（図示せず）、システムクロックを発生させるクロック発生部（図示せず）、および、各種処理結果その他のデータを出力するプリンタ等の出力装置（図示せず）を備えてもよく、また、入力装置、表示装置および出力装置は、それぞれ入出力インタフェースを介して制御部１０２に接続されてもよい。
【０１４０】
記憶部に格納される各種のデータベース（ページレイアウトデータベース１０６ａ〜１０６ｊ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１４１】
また、サーバ装置１００は、既知のパーソナルコンピュータ、ワークステーション等の情報処理端末等の情報処理装置にプリンタやディスプレイやイメージスキャナ等の周辺装置を接続し、該情報処理装置に本発明の方法を実現させるソフトウェア（プログラム、データ等を含む）を実装することにより実現してもよい。
【０１４２】
さらに、サーバ装置１００の分散・統合の具合的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ Ｇａｔｅｗａｙ Ｉｎｔｅｒｆａｃｅ）を用いて実現してもよい。
【０１４３】
また、クライアント装置２００は、既知のパーソナルコンピュータ、ワークステーション、家庭用ゲーム装置、インターネットＴＶ、ＰＨＳ端末、携帯端末、移動体通信端末またはＰＤＡ等の情報処理端末等の情報処理装置にプリンタやディスプレイやイメージスキャナ等の周辺装置を必要に応じて接続し、該情報処理装置にウェブ情報のブラウジング機能や電子メール機能を実現させるソフトウェア（プログラム、データ等を含む）を実装することにより実現してもよい。
【０１４４】
このクライアント装置２００の制御部は、その全部または任意の一部を、ＣＰＵおよび当該ＣＰＵにて解釈実行されるプログラムにて実現することができる。すなわち、ＲＯＭまたはＨＤには、ＯＳ（Ｏｐｅｒａｔｉｎｇ Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
しかしながら、このコンピュータプログラムは、クライアント装置２００に対して任意のネットワークを介して接続されたアプリケーションプログラムサーバに記録されてもよく、必要に応じてその全部または一部をダウンロードすることも可能である。このあるいは、各制御部の全部または任意の一部を、ワイヤードロジック等によるハードウェアとして実現することも可能である。
【０１４５】
また、本発明にかかるプログラムを、コンピュータ読み取り可能な記録媒体に格納することもできる。ここで、この「記録媒体」とは、フロッピー（登録商標）ディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１４６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４７】
また、ネットワーク３００は、サーバ装置１００とクライアント装置２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ―Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【図面の簡単な説明】
【０１４８】
【図１】本システムの全体構成の一例を示すブロック図である。
【図２】本発明が適用されるサーバ装置１００の構成の一例を示すブロック図である。
【図３】本実施形態における本システムのメイン処理の一例を示すフローチャートである。
【図４】本実施形態における本システムの各ページのコンテンツ設定処理の一例を示すフローチャートである。
【図５】本実施形態における本システムのティッカー設定処理の一例を示すフローチャートである。
【図６】本実施形態における本システムの画面情報のセーブ・ロード処理の一例を示すフローチャートである。
【図７】クライアント装置２００のモニタに表示されるメイン画面用のウェブページの表示画面の一例を示す図である。
【図８】クライアント装置２００のモニタに表示されるページ選択用のウェブページの表示画面の一例を示す図である。
【図９】クライアント装置２００のモニタに表示されるコンテンツ選択用ウェブページの表示画面の一例を示す図である。
【図１０】クライアント装置２００のモニタに表示されるカテゴリー選択用ウェブページの表示画面の一例を示す図である。
【図１１】クライアント装置２００のモニタに表示されるインデックス情報選択用ウェブページの表示画面の一例を示す図である。
【図１２】クライアント装置２００のモニタに表示されるコンテンツ情報表示用ウェブページの表示画面の一例を示す図である。
【図１３】クライアント装置２００のモニタに表示されるコンテンツ情報表示用ウェブページの表示画面の一例を示す図である。
【図１４】クライアント装置２００のモニタに表示されるティッカー番号選択用のウェブページの表示画面の一例を示す図である。
【図１５】クライアント装置２００のモニタに表示されるティッカー設定用のウェブページの表示画面の一例を示す図である。
【図１６】クライアント装置２００のモニタに表示されるティッカー用のウェブページの表示画面の一例を示す図である。
【図１７】クライアント装置２００のモニタに表示されるティッカー番号２の選択用のウェブページの表示画面の一例を示す図である。
【図１８】クライアント装置２００のモニタに表示されるティッカー設定用のウェブページの表示画面の一例を示す図である。
【図１９】クライアント装置２００のモニタに表示されるティッカー用のウェブページの表示画面の一例を示す図である。
【図２０】クライアント装置２００のモニタに表示されるセーブ・ロード用のウェブページの表示画面の一例を示す図である。
【図２１】クライアント装置２００のモニタに表示される配信情報の表示画面の一例を示す図である。
【図２２】本システムの配信情報の一例を示す概念図である。
【図２３】本実施の形態にかかるデータ配信システム全体の構成図である。
【符号の説明】
【０１４９】
１  サーバシステム
４  ｗｅｂサーバ
５  アプリケーションサーバ
６  データ配信サーバ
１００  サーバ装置
１０２  制御部
１０２ａ  ページレイアウト処理部
１０２ｂ  コンテンツ処理部
１０２ｃ  ティッカー処理部
１０２ｄ  利用者処理部
１０４  通信制御インタフェース部
１０６  記憶部
１０６ａ  ページレイアウトデータベース
１０６ｂ  コンテンツデータベース
１０６ｃ  利用者データベース
１０６ｄ  ティッカーデータベース
２００  クライアント装置
３００  ネットワーク
【図１】
2006065860.tif 000003
【図２】
2006065860.tif 000004
【図３】
2006065860.tif 000005
【図４】
2006065860.tif 000006
【図５】
2006065860.tif 000007
【図６】
2006065860.tif 000008
【図７】
2006065860.tif 000009
【図８】
2006065860.tif 000010
【図９】
2006065860.tif 000011
【図１０】
2006065860.tif 000012
【図１１】
2006065860.tif 000013
【図１２】
2006065860.tif 000014
【図１３】
2006065860.tif 000015
【図１４】
2006065860.tif 000016
【図１５】
2006065860.tif 000017
【図１６】
2006065860.tif 000018
【図１７】
2006065860.tif 000019
【図１８】
2006065860.tif 000020
【図１９】
2006065860.tif 000021
【図２０】
2006065860.tif 000022
【図２１】
2006065860.tif 000023
【図２２】
2006065860.tif 000024
【図２３】
2006065860.tif 000025